(57)【要約】      （修正有）【課題】千円金庫や１万円金庫を紙幣ブロックから引き出さずにこれらに対して紙幣の補給や回収ができるようにした新たな紙葉類処理装置を提供する。【解決手段】紙幣ブロックにセットされる４つの金庫Ａ〜Ｄと、投入される紙幣の金種を識別部２２で識別して対応する金庫Ａ〜Ｄに搬送する搬送制御手段２とを具備し、紙葉類の券売や払い出し等の処理を行うにあたり、金庫Ａ〜Ｄのうちの金庫Ｄを２金種の混合金庫とし、他の２つの金庫Ａ，Ｂと併せて搬送制御手段２に３つの金庫Ａ，Ｂ、Ｄで４金種を扱える第１の運用モードをとらせるように構成するとともに、残りの１つの金庫Ｃを引き出し可能なカセット式の自在金庫として、第１の運用モードにおいて搬送制御手段２に更に、前記自在金庫Ｃに装填された紙幣を簡易識別部２０を介して対応する金庫Ａ，Ｂに補給する動作と、所定の金庫Ａ、Ｂ、Ｄの紙幣を自在金庫Ｃに回収する動作とを行わせ得るように構成した。【選択図】図３
2010157046.tif 000002
【特許請求の範囲】
【請求項１】
紙幣ブロックと、この紙幣ブロックにセットされる４つの金庫と、投入される紙幣の金種を識別部で識別して対応する金庫に搬送する搬送制御手段とを具備し、紙葉類の券売や払い出し等の処理を行う紙葉類処理装置であって、
前記金庫のうちの１つを２金種の混合金庫とし、他の２つの金庫と併せて３つの金庫で４金種を扱う第１の運用モードにおいて前記搬送制御手段に紙幣の循環に必要な搬送制御を行わせるように構成するとともに、残りの１つを引き出し可能なカセット式の自在金庫とし、前記第１の運用モードにおいて搬送制御手段に更に、前記自在金庫に装填された紙幣を識別部を介して対応する金庫に補給する動作と、所定の金庫の紙幣を前記自在金庫に回収する動作とを行わせ得るように構成したことを特徴とする紙葉類処理装置。
【請求項２】
混合金庫に収納される金種を第１金種および第２金種とし、他の２つの金庫に収納される金種をそれぞれ第３金種および第４金種とし、自在金庫に収納される金種を第３金種又は第４金種の何れかとして、自在金庫から対応する金種の金庫への補給、または自在金庫の金種に対応する金庫から自在金庫への回収を行うようにしている請求項１記載の紙葉類処理装置。
【請求項３】
前記搬送制御手段は、運用モードで挿入口から紙幣投入等の優先処理入力がなされた場合に、紙幣の補給動作または回収動作を中断して投入紙幣の処理等の優先処理を実行し、実行後に紙幣の補給動作または回収動作を再開するように構成される請求項１又は２何れかに記載の紙葉類処理装置。
【請求項４】
紙幣の補給、回収時に自在金庫等の引き出し可能な金庫の引き出し操作を電磁的なロックや光学的な表示等によって禁止する禁止手段を設けている請求項１〜３何れかに記載の紙葉類処理装置。
【請求項５】
混合金庫に収納される金種を第１金種および第２金種とし、他の２つの金庫に収納される金種をそれぞれ第３金種および第４金種とし、自在金庫に収納される金種を第３金種および第４金種の何れかとする第２の運用モードに切り替えて、前記搬送制御手段に、第３金種または第４金種を自在金庫を含む２つの金庫に振り分けながら増量して循環させる制御を行わせ得るように構成している請求項１〜４何れかに記載の紙葉類処理装置。
【請求項６】
混合金庫に収納する紙幣を２金種のうちの１金種に限定するとともに、残りの１金種を自在金庫に収納する第３の運用モードに切り替えて、前記搬送制御手段に、これら４つの金庫を用いて４金種を循環させる制御を行わせ得るように構成している請求項１〜５何れかに記載の紙葉類処理装置。
【発明の詳細な説明】
【技術分野】
【０００１】
本発明は、自動券売機等のように紙葉類の券売や払い出しを行う紙葉類処理装置に係り、特に紙幣の補給、回収に便ならしめ、目的・用途に応じた運用モードの切替も可能にした紙葉類処理装置に関するものである。
【背景技術】
【０００２】
この種の紙葉類処理装置は、紙幣ブロックと、この紙幣ブロックにセットされる金庫と、投入される紙幣の金種を識別部で識別して対応する金庫に搬送する搬送制御手段とを具備し、紙葉類の券売や払い出し等を行うように構成されるのが通例である。
【０００３】
この場合、４金種に対応できるものとして、特許文献１等に示されるように、千円金庫、万円金庫、２千円金庫、５千円金庫の４つの金庫を設け、投入される紙幣の金種ごとにそれぞれ対応する金庫に振り分けて収納し、回収時には紙幣ブロックに設けた扉を開け、或いは金庫を引き出すなどして、金種別に紙幣の補給や回収を行うことができるようにされている。
【特許文献１】特開２００２−３６７００３号公報
【発明の開示】
【発明が解決しようとする課題】
【０００４】
ところが、かかる特許文献１のものは、少なくとも千円、１万円両方の金庫が紙幣ブロックにセットされていないと券売等の運用ができない。すなわち、１万円を投入され、千円のつり札を払い出す場合、投入紙幣収納用の１万円金庫と、つり札払い出し用の千円金庫の両方がないと機能しない。したがって、運用中に千円または１万円の金庫を紙幣ブロックから取り出すことができず、逆に紙幣ブロックから金庫を取り出している間は券売等の運用ができないことになり、無停止で紙幣の補給や回収を行うことができないという不都合がある。かかる特許文献１以外にも、従来の紙幣処理装置には、無停止で千円や万円の補給、回収を行える機能を備えたものは見当たらない。
【０００５】
本発明は、このような課題に着目してなされたものであって、装置の大型化を招かずに補給回収用の金庫を用意して、千円金庫や１万円金庫を紙幣ブロックから引き出さずにこれらに対して紙幣の補給や回収を行えるように構成するとともに、用途変更にも対応できるようにした新たな紙葉類処理装置を提供することを目的としている。
【課題を解決するための手段】
【０００６】
本発明は、かかる目的を達成するために、次のような手段を講じたものである。
【０００７】
すなわち、本発明の紙葉類処理装置は、紙幣ブロックと、この紙幣ブロックにセットされる４つの金庫と、投入される紙幣の金種を識別部で識別して対応する金庫に搬送する搬送制御手段とを具備し、紙葉類の券売や払い出し等の処理を行うものである。そして、前記金庫のうちの１つを２金種の混合金庫とし、他の２つの金庫と併せて３つの金庫で４金種を扱う第１の運用モードにおいて前記搬送制御手段に紙幣の循環に必要な搬送制御を行わせるように構成するとともに、残りの１つを引き出し可能なカセット式の自在金庫とし、前記第１の運用モードにおいて搬送制御手段に更に、前記自在金庫に装填された紙幣を識別部を介して対応する金庫に補給する動作と、所定の金庫の紙幣を前記自在金庫に回収する動作とを行わせ得るように構成したことを特徴とする。
【０００８】
ここで自在金庫とは、目的・用途に応じて取り扱う金種が切替可能な金庫をいい、１つの自在金庫を使用して取り扱う金種を切り替える態様のほか、複数の自在金庫を選択的に使用して取り扱う金種を切り替える態様も含まれる。他の金庫については、引き出し可能なカセット式の金庫であるか否かは問わない。
【０００９】
このように構成すると、他の３つの金庫を引き出さずに第１の運用モードの現金管理機能を維持しながら、無停止のままで紙幣の補給、回収を行うことができる。しかも、４金種以外に自在金庫を設けると装置の大型化を招くが、本発明は３つの金庫で４金種を扱うように構成した上で自在金庫を利用できるようにしているので、装置の大型化も有効に回避することが可能となる。
【００１０】
既存の構成を有効利用するためには、混合金庫に収納される金種を第１金種および第２金種とし、他の２つの金庫に収納される金種をそれぞれ第３金種および第４金種とし、自在金庫に収納される金種を第３金種又は第４金種の何れかとして、自在金庫から対応する金種の金庫への補給、または自在金庫の金種に対応する金庫から自在金庫への回収を行うようにしているものが挙げられる。
【００１１】
無停止での補給、回収を実効あらしめるためには、前記搬送制御手段は、運用モードで挿入口から紙幣投入等の優先処理入力がなされた場合に、紙幣の補給動作または回収動作を中断して投入紙幣の処理等の優先処理を実行し、実行後に紙幣の補給動作または回収動作を再開するように構成されていることが好ましい。
【００１２】
自在金庫等が不適時に引き出されることを防止するためには、紙幣の補給、回収時に自在金庫等の引き出し可能な金庫の引き出し操作を電磁的なロックや光学的な表示等によって禁止する禁止手段を設けておくことが望ましい。
【００１３】
本発明の構成を有効利用して紙葉類処理装置としての付加価値を高めるためには、混合金庫に収納される金種を第１金種および第２金種とし、他の２つの金庫に収納される金種をそれぞれ第３金種および第４金種とし、自在金庫に収納される金種を第３金種および第４金種の何れかとする第２の運用モードに切り替えて、前記搬送制御手段に、第３金種または第４金種を自在金庫を含む２つの金庫に振り分けながら増量して循環させる制御を行わせ得るように構成することが効果的である。また、このようにすれば増量金庫の一方を縮退することができる。
【００１４】
或いは、混合金庫に収納する紙幣を２金種のうちの１金種に限定するとともに、残りの１金種を自在金庫に収納する第３の運用モードに切り替えて、前記搬送制御手段に、これら４つの金庫を用いて４金種を循環させる制御を行わせ得るように構成することも容易に可能となる。
【発明の効果】
【００１５】
本発明は、以上説明した構成であるから、券売機等の紙葉類処理装置を運用している最中に紙幣ブロックへのつり札の補給、または余剰紙幣の回収を行うことが可能になり、装置が中断している間、顧客対応ができなくなる不都合を、装置を大型化することなく有効に解消することが可能となる。また、本発明の紙葉類処理装置は、これ以外にも特定の紙幣を倍増した運用や、４金種を循環させる運用などにも簡単に切り替えることができ、目的・用途に応じた使い方のできる汎用の紙葉類処理装置として実用に供することが可能となる。
【発明を実施するための最良の形態】
【００１６】
以下、本発明の一実施形態を、図面を参照して説明する。
【００１７】
図１に示す本実施形態の紙葉類処理装置は、例えば乗車券やカード、清算切符等の券売を行う券売機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送制御手段２とを具備する。
【００１８】
紙幣ブロック１は、この紙葉類処理装置を利用する利用者に近い側に挿入口１１、出金口１２、返却口１３を設けたもので、同じく利用者に近い側に固定式の混合金庫Ｄを内設し、係員が操作を行う側に３つのカセット式の金庫Ａ〜Ｃを設けている。また、紙幣ブロック１には、搬送経路２１上の紙幣を一時的に保留する一時保留部Ｅや出金保留部Ｆ、読み取り不能、重送発生、異常検知時の不良券を回収する不良券回収部Ｇ等も設けられている。カセット式の金庫Ａ〜Ｃは、図２に例示するように把手ｈを把持して紙幣ブロック１から引き出すことが可能とされている。これらの金庫Ａ〜Ｃと紙幣ブロック１との間には、必要に応じて電磁力等を利用して金庫Ａ〜Ｃを引き出し禁止状態とする図３のロック機構Ｘ１が設けてあり、また、紙幣ブロック１又は金庫Ａ〜Ｃには、引き出し禁止状態か否かを表示して係員に了知させるＬＥＤ表示部Ｘ２が設けてある。これらロック機構Ｘ１およびＬＥＤ表示部Ｘ２は本発明の禁止手段Ｘを構成している。
【００１９】
この実施形態では、混合金庫Ｄにおいて第１金種たる５千円と第２金種たる２千円の混合収納を行い得るように構成するとともに、金庫Ａを第３金種たる千円の循環金庫とし、金庫Ｂを第４金種たる万円の循環金庫とし、金庫Ｃを多用途に利用可能な自在金庫に設定している。この実施形態の自在金庫Ｃとして、たとえば第３金種たる千円用の金庫と第４金種たる万円用の金庫とが選択的に使用される。
【００２０】
識別部２２は、紙幣の金種判定を主として行うもので、挿入口１１から投入される紙幣の金種のみ識別する。これに対して、各金庫Ａ〜Ｄに紙幣が補給される場合や、各金庫Ａ〜Ｄから紙幣が回収される場合等には、図１に示す補給回収用の簡易型の識別部２０（以下、簡易識別部と称する）で金種識別を行う。ここに言う簡易型とは、金種識別のみを行い、紙幣の真性（偽造か否か）までは識別しないものを言う。
【００２１】
搬送制御手段２は、周知の紙幣処理装置と同様に、図示しない挾持ローラ、搬送ベルト、ウィング等の方向変換部などから構成される前記搬送経路２１と、搬送される紙幣の金種を識別する前記識別部２２および簡易識別部２０と、この識別部２２或いは簡易識別部２０の識別結果等に基づいて前記搬送経路２１を制御する制御部２３（図３参照）とから構成される。そして、挿入口１１から投入された紙幣を識別部２２に通過させた後、搬送経路２１に沿って流通させ、随所に設けた分岐部ａ〜ｇで必要に応じて紙幣を方向変換して、金庫Ａ、金庫Ｂ、自在金庫Ｃ、固定金庫Ｄ、一時保留部Ｅ、出金保留部Ｆ、出金口１２、不良券回収部Ｇ等へ搬送する動作を行うとともに、金庫Ａ〜Ｄ等から搬送経路２１上への紙幣の繰り出し動作、簡易識別部２０における金種識別、更には次なる搬送先である出金口１２や金庫Ａ〜Ｄへの搬送動作などを含む統括的な制御を行うように構成されている。
【００２２】
そのために、制御部２３は、ＣＰＵ，メモリ及びインターフェースを具備する通常のマイクロコンピュータユニットにより構成されて、メモリ内には所要のプログラムが書き込まれており、ＣＰＵは適宜必要なプログラムを呼び出して実行することにより、周辺ハードリソースと協働して、所期の搬送動作を実現する。図１に示すように、実際には各金庫Ａ〜Ｃ毎にも一時保留部a１、ｂ１、ｃ１などが設けられていて、制御部２３は紙幣を各金庫A〜Ｃに収納する前に一時的に一旦これらの一時保留部a１、ｂ１、ｃ１に保留し、その後、搬送経路２１上に一旦繰り出した後に金庫A〜Ｃに収納する制御を行うが、本実施形態においてこれらの具体的な構成や制御については省略している。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００２３】
そして、図３に示した前記制御部２３のメモリには、紙葉類処理装置を第１の運用モード、第２の運用モードおよび第３の運用モードの何れかにおいて稼動させるためのプログラムが格納してあり、紙幣ブロックの適宜部位には図４に示すモード選択部２３ａが設けられていて、制御部２３がモード選択部２３ａを通じて係員によるモード選択操作を受け付けると、選択した第１の運用モード、第２の運用モード、第３の運用モードの何れかに対応するプログラムを呼び出して、予め定めた搬送制御を実行するようにしている。以下、各々の運用モードについて説明する。
＜第１の運用モード＞
【００２４】
この第１の運用モードは、無停止補給、無停止回収を実行するためのモードである。
【００２５】
この第１の運用モードでは、図６に示すように混合金庫Ｄを流通の少ない５千円札および２千円札の収納金庫とし、カセット金庫Ａを千円の循環庫とし、カセット金庫Ｂを万円の循環庫とし、自在金庫Ｃを図５（ａ）および（ｂ）に示すように千円または万円の補給・回収金庫として用いる。
【００２６】
図４において、係員がモード選択部２３ａを通じて第１の運用モードを選択すると、制御部２３は、この第１の運用モードにおいて、「運用開始時」「無停止装填時」「無停止回収時」「締切り回収時」の４つの動作を実行する。「運用開始時」「締切り回収時」は券売機が発売中止状態にあるときのみ実施するものであり、厳密には第１の運用モードである無停止補給、無停止回収機能を補助する動作である。
（１）運用開始時
【００２７】
自在金庫Ｃとして図５（ａ）に示すように千円のカセット金庫をセットすると、搬送制御手段２は自在金庫Ｃ内のつり札を繰り出して簡易識別部２０に送り、この簡易識別部２０で金種を識別して、正しければ出金保留部Ｆへ、エラーであれば不良券回収部Ｇへ搬送しながら継続装填を行う。出金保留部Ｆにおいて所定枚数に達したら、まとめて一括で、千円循環庫であるカセット金庫Ａに計数装填する。装填中はカセット金庫A〜Cにロック機構Ｘ１によって電磁ロックが掛けられるとともに、ＬＥＤ表示部Ｘ２において装填作動中である旨のＬＥＤが点灯してカセット金庫Ａ〜Ｃの引き出しが禁止される。計数装填が終わると、電磁ロックが解除されるとともに着脱作業可のＬＥＤが点灯して、カセット金庫Ｃを抜き取ることができる。これにより、つり札準備金が千円のみの場合の運用を開始することができる。次に、必要であれば、図５（ｂ）に示すように自在金庫Ｃを万円カセットとして、搬送制御手段２により簡易識別部２０で識別させた後に正しければ出金保留部Ｆへ、エラーであれば不良券回収部Ｇへ搬送しながら継続装填を行う。出金保留部Ｆにおいて所定枚数に達したら、まとめて一括で、出金保留部Ｆからカセット金庫Ｂに万円紙幣を計数装填する。この作動中にも電磁ロックとＬＥＤが点灯し、計数装填が終われば電磁ロックの解除と着脱作業可のＬＥＤが点灯して、カセット金庫Ｃを抜取ることができる。この段階で、万円紙幣の払い出しを含めた運用を行う準備が終了する。
【００２８】
運用中は図６に示すように、自在金庫Ｃは抜き取られ、挿入口１１から投入される紙幣は識別部２２で識別後に金庫Ａ、Ｂ、Ｄに搬送され、つり札や払い出しが必要になれば金庫Ａ、Ｂ，Ｄから出金保留部Ｆ、さらには出金口１２に向かって必要な紙幣の搬送を行う。金庫Ｂの万円はつり札としては使用されないが、払い戻し金などが必要となる目的・用途の場合に使用される。運用開開始時には、混合金庫Ｄには紙幣を装填せずに空の状態にし、投入された５千円があれば５千円の循環を行うが、２千円が混在された時点で循環を停止し、後はつり札を千円のみとしてカセット金庫Ａからまかなう。
（２）無停止装填時（運用中）
【００２９】
運用中に、例えばつり札の減少により特定金種を補給したい場合には、図７（ａ）、（ｂ）に示すように、装填したい金種用のカセット（千円、万円のいずれか）を自在金庫Ｃにセットする。この後、搬送制御手段２は簡易識別部２０において金種を識別後、千円ならカセット金庫Ａへ、万円ならカセット金庫Ｂへ計数装填する。計数装填が終わるまで放っておき、装填が終わってロック解除および操作可のＬＥＤ表示がなされればカセット金庫Ｃを抜取る。２千円、５千円の装填はしない。
【００３０】
装填中に利用者によって紙幣が投入されるなど、券売のための動作を紙葉類処理装置が開始した場合、投入紙幣の収納やつり札の排出が必要になることから、優先処理の１つの態様として、装填動作を中断し、図３に示す不良券回収部Ｇ内の紙幣をカセット金庫収納部Ｃに戻したうえで、一時保留部Ｅに退避していた運用中の不良券を不良券回収部Ｇに戻し、入金動作、つり札払い出しを優先的に行う。取引が終了すれば不良券回収部Ｇの紙幣を再度一時保留部Ｅに退避し、継続装填を再開する。
（３）無停止回収時（運用中）
【００３１】
運用中に、余剰紙幣の回収を行いたい場合には、図８に示すように、回収したい金種用のカセット（千円、万円のいずれか）を自在金庫Ｃにセットする。搬送制御手段２は、セットされたカセットが千円なら同図（ａ）に示すようにカセット金庫Ａから、万円なら同図（ｂ）に示すようにカセット金庫Ｂから千円または万円をそれぞれ簡易識別部２０および出金保留部Ｆを介して計数回収する。また、回収したい金種が２千／５千の場合には、同図（ｃ）に示すように万円用のカセットを自在金庫Ｃにセットし、（ｂ）の場合と識別できるように回収したい金種が２千／５千である旨の適宜の設定を通じて、搬送制御手段２に固定金庫Ｄから２千／５千を簡易識別部２０および出金保留部Ｆを介して計数回収させる。２千円／５千円の回収を実施する場合は、全回収のみを可能とする。計数回収が終わると、搬送制御手段２の制御部２３は電磁ロックやＬＥＤ表示等による禁止状態を解除し、係員は自在金庫Ｃを抜き取ることができる。回収中に発生した不良券は、運用時の不良券と一緒に図３の不良券回収部Ｇに入れられる。
【００３２】
回収中に利用者によって紙幣が投入されるなど、券売のための動作を開始した場合の優先処理は、上記（２）の場合と同様、回収動作を中断し、入金動作、つり札払い出し等の取引を終えた後、継続回収を再開する。
（４）締切り回収時
【００３３】
紙葉類処理装置の取引を締め切って紙幣を回収する場合には、図９（ａ）に矢印（実線）で示すように、発売中止状態で空の千円カセットを自在金庫Ｃにセットしてカセット金庫Ａから簡易識別部２０および出金保留部Ｆを介して計数回収し、次に同図の矢印とは逆に、残置分を再度繰出し、簡易識別部２０および出金保留部Ｆを介してカセット金庫Ａに戻してから自在金庫Ｃを取り外す。
【００３４】
また、図９（ｂ）に示すように、発売中止状態で空の万円カセットを自在金庫Ｃにセットしてカセット金庫Ｂから簡易識別部２０および出金保留部Ｆを介して計数回収し、次に同図の矢印とは逆に、残置分を再度繰出し、簡易識別部２０および出金保留部Ｆを介してカセット金庫Ｂに戻してから自在金庫Ｃを取り外す。（運用中・回収中の不良券入り）。
【００３５】
さらに、回収紙幣４金種の合計が１金庫収納限度以下の条件に限り、図９（ｃ）に先ず矢印（実線）で示すように、簡易識別部２０および出金保留部Ｆを介してカセット金庫Ｂへの４金種一括回収が可能である。この場合カセット金庫Ｂに最初から収納していた紙幣の計数は実施せずソフトウェアカウント枚数を採用する。
【００３６】
２千円／５千円の場合は、図９（ｄ）に矢印（実線）で示すように、空の万円カセットを自在金庫Ｃにセットして簡易識別部２０および出金保留部Ｆを介して回収後、自在金庫Ｃを抜き取るか、或いは同図に矢印（破線）で示すように、万円計数回収後に空になったカセット金庫Ｂに計数回収し、カセット金庫Ｂを抜き取るかを係員が選択できるようにしてもよい。カセット金庫Ｂを抜き取った場合は、空の万円金庫を挿し込んでおく。２千円／５千円の回収を実施する場合は、金種によらず全回収のみを行うことが可能である。
＜第２の運用モード＞
【００３７】
この第２の運用モードは、特定金種を増量するためのモードである。
【００３８】
図４において、係員がモード選択部２３ａを通じて第２の運用モードを選択した場合は、図１０に示すように、混合金庫Ｄに収納される金種を５千円および２千円とされ、他の２つの金庫Ａ，Ｂに収納される金種をそれぞれ千円および万円とされ、自在金庫Ｃに収納される金種については、千円か、或いは万円かを係員が選択することができる。そして、搬送制御手段２は、自在金庫Ｃに収納される金種が千円であれば２つの金庫Ａ，Ｃに振り分けながら略２倍の千円札を増量して循環させる制御を行い、自在金庫Ｃに収納される金種が万円であれば２つの金庫Ｂ，Ｃに振り分けながら略２倍の万円札を増量して循環させる制御を行う。２つの金庫Ａ，Ｃ（Ｂ，Ｃ）への振り分けは、例えば、交互に１枚ずつ振り分けたり、所定枚数ずつ振り分ける態様のほか、最初は金庫Ａ（Ｂ）に収納してゆき一杯になったら金庫Ｃに収納先を切り替える態様などを採用することができる。逆に、金庫Ａ、Ｃ（Ｂ，Ｃ）からの払い出しについても、１枚ずつ交互に繰り出したり、所定枚数ずつ繰り出したり、先に金庫Ａ（Ｂ）から繰り出してゆき空になったら金庫Ｃから繰り出すなどの態様を採用することができる。これらの場合にも、常に外部からの入金用識別部２２と払い出し用の簡易識別部２０を通じて金種を識別しながら出し入れがなされる。
【００３９】
このような運用モードを採用すると、特定金種の循環量を倍増させることができるので、特に千円や万円を多く取り扱う目的・用途に適用して有用なものとなる。また、増量金種の片側が調子が悪いときに縮退し、もう一方で運用できる。
＜第３の運用モード＞
【００４０】
この第３の運用モードは、４金種を循環させるためのモードである。
【００４１】
図４において、係員がモード選択部２３ａを通じて第３の運用モードを選択した場合は、図１１に示すように、混合金庫Ｄに収納するつり札を２金種（５千、２千）のうちの１金種（５千）に限定されるとともに、自在金庫Ｃに収納される金種を他方の１金種（２千）とされ、残りの２つの金庫Ａ，Ｂに収納される金種をそれぞれ千円および万円とされる。そして、前記搬送制御手段２は、これら４つの金庫を用いて、４金種を循環させる制御を行う。すなわち、挿入口１１から投入される紙幣の金種を識別部２２で識別して、千円、万円、５千円、２千円を対応する金庫Ａ，Ｂ，Ｄ，Ｃに振り分けて収納し、つり札等の払い出しに際しても千円、万円、５千円、２千円を適宜組み合わせて金庫Ａ，Ｂ、Ｄ、Ｃから払い出す。
【００４２】
このような運用モードは、４金種を常に循環させることができるため、枚数が最小限となるような組み合わせのつり札の払い出しを有効に行うことができる。勿論、２千円は極めて流通量が少ないため、収納のみで払い出しをしない態様も設定を通じて容易に実現することが出来る。
【００４３】
以上に説明したように、本実施形態の紙葉類処理装置は、紙幣ブロック１と、この紙幣ブロック１にセットされる４つの金庫Ａ〜Ｄと、投入される紙幣の金種を識別部２２で識別して対応する金庫Ａ〜Ｄに搬送する搬送制御手段２とを具備し、紙葉類の券売や払い出し等の処理を行うものである。
【００４４】
そして、前記金庫Ａ〜Ｄのうちの金庫Ｄを２金種の混合金庫とし、他の２つの金庫Ａ，Ｂと併せて３つの金庫Ａ，Ｂ、Ｄで４金種を扱う第１の運用モード（図５〜図９）において前記搬送制御手段２に紙幣の循環に必要な搬送制御を行わせるように構成するとともに、残りの１つの金庫Ｃを引き出し可能なカセット式の自在金庫とし、前記第１の運用モードにおいて搬送制御手段２に更に、前記自在金庫Ｃに装填された紙幣を識別部たる簡易識別部２０を介して対応する金庫Ａ，Ｂに補給する動作と、所定の金庫Ａ、Ｂ、Ｄの紙幣を前記自在金庫Ｃに回収する動作とを行わせ得るように構成したものである。
【００４５】
このように構成すると、他の金庫Ａ，Ｂ等を引き出さずに第１の運用モードの現金管理機能を維持しながら、無停止のままで紙幣の補給、回収（計数補給、計数回収）を行うことができる。しかも、４金種にそれぞれ金庫を用意し、さらに自在金庫Ｃを設けると装置の大型化を招くが、本実施形態は３つの金庫Ａ，Ｂ，Ｄで４金種を扱うように構成した上で自在金庫Ｃを設けているので、装置の大型化も有効に回避することが可能となる。
【００４６】
具体的には、混合金庫Ｄに収納される金種を第１金種である５千円および第２金種である２千円とし、他の２つの金庫Ａ，Ｂに収納される金種をそれぞれ第３金種である千円および第４金種である万円とし、自在金庫Ｃに収納される金種を第３金種である千円又は第４金種である万円の何れかとして、自在金庫Ｃから対応する金種の金庫Ａ又はＢへの補給、または自在金庫Ｃに設定された金種に対応する金庫Ａ，Ｂ、Ｄから自在金庫Ｃへの回収を行うようにしているので、元々４金種の紙幣毎に構成される金庫を基準として見ると、流通の少ない２千円札を５千円金庫に混在収納し、２千円金庫をカセット式の自在金庫Ｃとして、この金庫Ｃを用いて券売機等の運用中に紙幣の補給、回収を行うように構成することができるので、既存の紙葉類処理装置に若干の改良を施すだけで構成することができ、大幅な設計変更を必要とせずに本発明を実施することができる。
【００４７】
これらにおいて、紙幣の補給、回収時に挿入口１１から紙幣が投入されると、搬送経路２１上で紙幣同士が干渉するが、本実施形態における前記搬送制御手段２は、運用モードで挿入口１１から紙幣投入等の優先処理入力がなされた場合に、紙幣の補給動作または回収動作を中断して投入紙幣の処理等の優先処理を実行し、実行後に紙幣の補給動作または回収動作を再開するように構成されているため、券売等の処理を滞らせることなく、無停止での紙幣の補給、回収機能を適切に担保することができる。
【００４８】
また、紙幣の補給、回収時などに自在金庫Ｃ等の引き出し可能な金庫の引き出し操作を電磁的なロックや光学的な表示等によって禁止する禁止手段Ｘを設けているので、補給、回収動作中に引き出されることによりシステム全体のリセットが必要となったり、ジャムが発生する不具合等を確実に防止することができる。
【００４９】
さらに、この実施形態の紙葉類処理装置は、混合金庫Ｄに収納される金種を第１金種である５千円および第２金種である２千円とし、他の２つの金庫Ａ，Ｂに収納される金種をそれぞれ第３金種である千円および第４金種である万円とし、自在金庫Ｃに収納される金種を第３金種である千円又は第４金種である万円の何れかとする第２の運用モード（図１０）に切り替えが可能であって、前記搬送制御手段２に、千円又は万円を自在金庫Ｃを含む２つの金庫Ｃ、Ａ（Ｃ，Ｂ）に振り分けながら増量して循環させる制御を行わせ得るように構成しているので、カセットを入れ替え、モードを選択するだけで、特定金種の出入りが多い目的・用途に簡単に対応することができる。また、片側の金庫が調子が悪いときに縮退させ、もう一方で運用継続できる。
【００５０】
さらに、この実施形態の紙葉類処理装置は、混合金庫Ｄに収納する紙幣を２金種のうちの１金種（５千）に限定するとともに、残りの１金種（２千）を自在金庫Ｃに収納する第３の運用モード（図１１）に切り替えが可能であって、前記搬送制御手段２に、これら４つの金庫を用いて４金種を循環させる制御を行わせ得るように構成しているので、カセットを入れ替え、モードを選択するだけで、常時４金種の循環が必要な目的・用途にも簡単に対応することができる。
【００５１】
以上、本発明の一実施形態について説明したが、各部の具体的な構成は、上述した実施形態のみに限定されるものではない。
【００５２】
例えば、１つの自在金庫Ｃで千円、万円を切り替えて使用する場合には、紙幣の長さ違いに対応するようにカセット金庫Ｃの紙幣収納部に長さ調節部を設けておくことが有効である。また、上記実施形態ではカセット金庫Ａが引き出される態様を説明していないが、このカセット金庫Ａを補給、回収のために引き出す態様を採用することもできる。カセットＡ〜Ｃの配置については、上下方向の並びを替えて紙幣ブロックに収容するなどの変形実施が可能である。
【００５３】
さらに、上記実施形態では、投入紙幣の金種識別を識別部２２で、補給回収時の紙幣の金種識別を簡易識別部２０で、それぞれ行うようにしているが、補給回収時の金種識別を行う識別部が簡易型である必要は必ずしもなく、識別部２２と同様のものを用いることもできるし、双方とも簡易型のものでまかなうこともできる。また、補給回収時の紙幣の金種識別を識別部２２で一括して行うように構成してもよく、逆に投入紙幣の金種識別を簡易識別部２０で一括して行うように構成してもよい。
【００５４】
さらにまた、本発明はドル紙幣やユーロ紙幣などの他の通貨単位の紙幣に適用することも可能である。ドル紙幣には１ドル、２ドル、５ドル、１０ドル、２０ドル、５０ドル、１００ドルの種類があるが、このうち一般に流通量の多い紙幣（例えば１ドル、２ドル、１０ドル、２０ドルの４金種）を上記千円、２千円、５千円、１万円にあてはめて適用することもできる。或いは、ユーロ紙幣には５ユーロ、１０ユーロ、２０ユーロ、５０ユーロ、１００ユーロ、２００ユーロ、５００ユーロの種類があるが、このうち一般に流通量の多い紙幣（例えば５ユーロ、１０ユーロ、２０ユーロ、５０ユーロの４金種）を上記千円、２千円、５千円、１万円にあてはめて適用することもできる。
【００５５】
勿論、これらの円や外貨紙幣の金種のうち、何れを固定金庫に収容し、何れを自在金庫を通じて補給、回収できるようにするかは、上記に限定されずに種々に金種を組み合わせで本発明を適用することができる。
【００５６】
その他の構成も、本発明の趣旨を逸脱しない範囲で種々変形が可能である。
【図面の簡単な説明】
【００５７】
【図１】本発明の一実施形態に係る紙葉類処理装置の概略的な全体構成図。
【図２】一部の金庫を抜き取った状態を示す図１に対応した図。
【図３】同実施形態における搬送制御手段の構成および機能の概要を示すブロック図。
【図４】同実施形態におけるモード切替機能を示す図。
【図５】同実施形態における第１の運用モードを運用開始時の状態において示す図。
【図６】同実施形態における第１の運用モードを運用中の状態において示す図。
【図７】同実施形態における第１の運用モードを無停止装填時の状態において示す図。
【図８】同実施形態における第１の運用モードを無停止回収時の状態において示す図。
【図９】同実施形態における第１の運用モードを締切り回収時の状態において示す図。
【図１０】同実施形態における第２の運用モードを示す図。
【図１１】同実施形態における第３の運用モードを示す図。
【符号の説明】
【００５８】
１…紙幣ブロック
２…搬送制御手段
１１…挿入口
Ａ…金庫（千円金庫）
Ｂ…金庫（万円金庫）
Ｃ…自在金庫
Ｄ…混合金庫
Ｘ…禁止手段
【図１】
2010157046.tif 000003
【図２】
2010157046.tif 000004
【図３】
2010157046.tif 000005
【図４】
2010157046.tif 000006
【図５】
2010157046.tif 000007
【図６】
2010157046.tif 000008
【図７】
2010157046.tif 000009
【図８】
2010157046.tif 000010
【図９】
2010157046.tif 000011
【図１０】
2010157046.tif 000012
【図１１】
2010157046.tif 000013